(57)【要約】【課題】監視対象の誤認防止に優れた人物監視システム及び人物監視方法を提供すること。【解決手段】登録者から取得された登録生体情報を記憶する記憶手段と、人物から生体情報を取得する取得手段と、前記取得手段で取得された前記生体情報と前記記憶手段に記憶された前記登録生体情報とを比較照合する照合手段と、前記照合手段による照合結果に基づく前記登録者の定期的な認証の成否を監視する監視手段とを備える。【選択図】      図２
2008072511.tif 000002
【特許請求の範囲】
【請求項１】
登録者から取得された登録生体情報を記憶する記憶手段と、
人物から生体情報を取得する取得手段と、
前記取得手段で取得された前記生体情報と前記記憶手段に記憶された前記登録生体情報とを比較照合する照合手段と、
前記照合手段による照合結果に基づく前記登録者の定期的な認証の成否を監視する監視手段と、
を備えることを特徴とする人物監視システム。
【請求項２】
登録者から取得された登録生体情報を記憶する記憶手段と、
第１のエリアの人物から第１の生体情報を取得する第１の取得手段と、
第２のエリアの人物から第２の生体情報を取得する第２の取得手段と、
前記第１の取得手段で取得された前記第１の生体情報と前記記憶手段に記憶された前記登録生体情報とを比較照合し、前記第２の取得手段で取得された前記第２の生体情報と登録された前記登録生体情報とを比較照合する照合手段と、
異なる前記第１及び第２エリアで取得された前記第１及び第２の生体情報と前記登録生体情報とに基づく前記登録者の定期的な認証の成否を監視する監視手段と、
を備えることを特徴とする人物監視システム。
【請求項３】
前記登録者の定期的な認証失敗に基づき異常を通知する異常通知手段を備えたことを特徴とする請求項２に記載の人物監視システム。
【請求項４】
仮登録の指示入力に基づき前記第１の取得手段により仮登録者から取得される第３の生体情報を仮登録生体情報として前記記憶手段へ記憶する仮登録手段を備え、
前記照合手段は、前記登録生体情報に加えて前記仮登録生体情報を比較照合対象に加えて比較照合し、
前記監視手段は、前記登録生体情報に基づく前記登録者の認証を定期監視の対象とし、前記仮登録生体情報に基づく前記仮登録者の認証を定期監視の対象から除外する、
ことを特徴とする請求項２に記載の人物監視システム。
【請求項５】
前記照合手段は、前記第１の生体情報による前記登録者の認証成功に基づき、前記記憶手段に記録されている前記登録者の登録生体情報として前記第１の生体情報を追加し、前記第２の生体情報による前記登録者の認証成功に基づき、前記記憶手段に記録されている前記登録者の登録生体情報として前記第２の生体情報を追加することを特徴とする請求項２に記載の人物監視システム。
【請求項６】
前記第１又は第２の取得手段で取得された第３の生体情報による前記登録者の認証失敗に基づき前記第３の生体情報を記憶し、前記第１又は第２の取得手段で取得された第４の生体情報による前記登録者の認証失敗に基づき前記第４の生体情報を記憶し、前記第３及び第４の生体情報の同一判定に基づき同一人物による複数回の認証失敗と判断し、不法侵入を通知する不法侵入通知手段を備えたことを特徴とする請求項２に記載の人物監視システム。
【請求項７】
登録者から取得された登録生体情報を記憶し、
人物から生体情報を取得し、
取得された前記生体情報と記憶された前記登録生体情報とを比較照合し、
照合結果に基づく前記登録者の定期的な認証の成否を監視する、
ことを特徴とする人物監視方法。
【請求項８】
登録者から取得された登録生体情報を記憶し、
第１のエリアの人物から第１の生体情報を取得し、
取得された前記第１の生体情報と記憶された前記登録生体情報とを比較照合し、
第２のエリアの人物から第２の生体情報を取得し、
取得された前記第２の生体情報と記憶された前記登録生体情報とを比較照合し、
異なる前記第１及び第２エリアで取得された前記第１及び第２の生体情報と前記登録生体情報とに基づく前記登録者の定期的な認証の成否を監視する、
ことを特徴とする人物監視方法。
【請求項９】
前記登録者の定期的な認証失敗に基づき異常を通知することを特徴とする請求項７に記載の人物監視方法。
【発明の詳細な説明】
【技術分野】
【０００１】
この発明は、居住者の安否確認に適用可能な人物監視システム及び人物監視方法に関する。
【背景技術】
【０００２】
周知のように、近年では、少子高齢化にますます拍車がかかり、高齢者の一人暮らしは珍しくなくなってきた。また、介護器具の普及に伴い、障害者の介護を自宅で行うことが可能となっている。
【０００３】
ところで、上記のような場合、高齢者の一人暮らしに関しては、来客がない限り一人きりの時間であり、障害者の介護に関しては、介護者が外出することも考えられ、一人きりの時間が発生しうる。
【０００４】
高齢者や、障害者を一人きりにすることは、不測の事態が起きる可能性が高いため、注意を払わなければならない。
【０００５】
特許文献１には、自宅内の複数箇所に温度検知センサをつけておき、住人が触ると温度が上昇したことで人物を検知し、生存検知を行う構成が開示されている。
【０００６】
特許文献２には、自宅内で、人体が寝そべっている状態での人体の最上位高よりも高い所定の高さに検知エリアを設定し、例えば赤外線センサによって、ある一定時間人物検知されなければ、住人がいないものと判断し、自動的にドアを閉めたり鍵をかけたりする技術が開示されている。
【特許文献１】特開２００４−７０７４４号公報
【特許文献２】特開２０００−２８５３４２号公報
【発明の開示】
【発明が解決しようとする課題】
【０００７】
しかしながら、特許文献１の発明は、複数箇所に温度センサを設置したとしても、センサで検知するにはその装置に触る必要がある。そのため、実際には住人は生存し自由に動き回っていても正確な人物検知ができない可能性がある。また、猫などのペットがセンサに触れても住人の人物検知とご認識してします場合が考えられる。
【０００８】
また、特許文献２では、高い位置に赤外線センサを設置しても、猫などのペットであれば高い場所にも飛び乗れるため、住人がいない場合でもペットを住人と誤認してしまうことが考えられる。
【０００９】
そこで、この発明は上記事情に基づいてなされたもので、監視対象の誤認防止に優れた人物監視システム及び人物監視方法を提供することを目的とする。
【課題を解決するための手段】
【００１０】
人物監視システムは、登録者から取得された登録生体情報を記憶する記憶手段と、人物から生体情報を取得する取得手段と、前記取得手段で取得された前記生体情報と前記記憶手段に記憶された前記登録生体情報とを比較照合する照合手段と、前記照合手段による照合結果に基づく前記登録者の定期的な認証の成否を監視する監視手段とを備える。
【００１１】
また、人物監視方法は、登録者から取得された登録生体情報を記憶し、人物から生体情報を取得し、取得された前記生体情報と記憶された前記登録生体情報とを比較照合し、照合結果に基づく前記登録者の定期的な認証の成否を監視する。
【発明の効果】
【００１２】
本発明によれば、監視対象の誤認防止に優れた人物監視システム及び人物監視方法を提供することができる。
【発明を実施するための最良の形態】
【００１３】
以下この発明の実施の形態について図面を参照して説明する。図１は、この発明である人物監視システムの機器配置を示している。また、図２は、この発明である人物監視システムの構成図を示している。
【００１４】
例えば、玄関には動画照合装置１が、廊下には動画照合装置２が、洗面所には静止画照合装置３が、居間には静止画照合装置４が設置されており、それぞれは、管理装置７と接続されている。管理装置７は、制御部７１と記憶部７２と通信部７３とタイマー７４とで構成される。
【００１５】
タイマー７４は、定期的に起動し、要求に応じてリセットすることも可能である。記憶部７２は、予め登録者を撮影して得られた撮影情報に基づき生成される登録者特徴情報（例えば、人物の顔画像の特徴情報）を記憶する。また、記憶部７２は、動画照合装置１、動画照合装置２、静止画照合装置３、静止画照合装置４のそれぞれの照合部１２、照合部２２、照合部３２、照合部４２による照合結果を、照合時刻（例えば、タイマー７４の起動開始時刻）と共に記憶する。制御部７１は、タイマー７４の起動を制御し、また、照合部１２、照合部２２、照合部３２、照合部４２による照合結果に基づき、通信部７３を介して、介護担当者や警察／警備会社に情報（異常、不法侵入などの情報）を通知する。
【００１６】
動画照合装置１（または、動画照合装置２）は、撮影部１１（または、撮影部２１）と照合部１２（または、照合部２２）とを備えている。玄関（または、廊下）に設置された動画照合装置１の撮影部１１は、常に一定の撮影範囲を撮影している。照合部１２は、撮影部１１が撮影範囲を撮影した撮影情報から生体特徴情報（例えば、人物の顔画像の特徴情報）を抽出し、この生体特徴情報と予め登録者を撮影した撮影情報から抽出された登録者特徴情報（例えば、人物の顔画像の特徴情報）とを照合する。
【００１７】
照合装置１、２は、一人暮らしの高齢者や障害者の方の自宅にて、玄関や廊下やその他、住人が歩行する時に顔を正面にむけるであろう複数の場所に設置している。そのため、住人は各照合装置１、２の存在を意識することなく通常の生活を送りつつも、各照合装置１、２は、住人を監視することができる。
【００１８】
静止画照合装置３（または、静止画照合装置４）は、撮影部３１（または、撮影部４１）と照合部３２（または、照合部４２）とを有している。洗面所（または、居間）に設置された静止画照合装置３の撮影部３１は、常に一定の撮影範囲を撮影している。照合部３２は、撮影部３１が撮影範囲を撮影した撮影情報から生体特徴情報（例えば、人物の顔画像の特徴情報）を抽出し、この生体特徴情報と予め登録者を撮影した撮影情報から抽出された登録者特徴情報（例えば、人物の顔画像の特徴情報）とを照合する。
【００１９】
照合装置３、４は、一人暮らしの高齢者や障害者の方の自宅にて、洗面台や居間のテレビの脇など住人が一定時間静止することが分かっている複数の場所に設置している。そのため、住人は各照合装置３、４の存在を意識することなく通常の生活を送りつつも、各照合装置３、４は、住人を監視することができる。
【００２０】
なお、本実施形態では、複数の撮影部１１、２１、３１、４１に対応する複数の照合部１２、２２、３２、４２を備えるシステムについて説明したが、本発明はこれに限定されるものではない。例えば、複数の撮影部１１、２１、３１、４１に対応して一つの照合部を備え得るシステムであってもよい。
【００２１】
照合部１２（または、照合部２２、照合部３２、照合部４２）は、以下のように照合する。照合部１２（または、照合部２２、照合部３２、照合部４２）は、撮影部１２（または、撮影部２２、撮影部３２、撮影部４２）で撮影した撮影情報の中から人物の顔Ｘ（撮影情報）を抽出する。そして、照合部１２は、人物の顔Ｘから特徴情報（例えば目、鼻、口等の位置関係を数値化した情報）を抽出する。
【００２２】
また、記憶部７２は、予め登録者を撮影した撮影情報から抽出された登録者特徴情報を記憶している。制御部７１は、撮影部１２（または、撮影部２２、撮影部３２、撮影部４２）で撮影した人物の撮影情報から特徴情報（例えば目、鼻、口等の位置関係を数値化した情報）を抽出する。制御部７１は、抽出した特徴情報を登録者特徴情報として登録者ごとに記憶部７２に記録する。
【００２３】
照合部１２（または、照合部２２、照合部３２、照合部４２）は、撮影した人物Ｘの顔から抽出した特徴情報と記憶部７２に記憶されている登録者特徴情報を比較する。登録者特徴情報は、登録されている人物毎に記憶部７２に記録されている。例えば登録者Ａ、登録者Ｂ、登録者Ｃそれぞれの登録者特徴情報が記憶部７２に記録されている。照合部１２は、人物Ｘの特徴情報と登録者Ａの登録者特徴情報、登録者Ｂの登録者特徴情報、登録者Ｃの登録者特徴情報それぞれについて、特徴点の類似度を算出する。そして、照合部１２は、算出した類似度が基準値以上である登録者特徴情報があるか否かを判断する。
【００２４】
例えば、照合部１２が人物Ｘの特徴情報と登録者Ａの登録者特徴情報との類似度が基準値以上と判断したとする。照合部１２は、人物Ｘを登録者Ａと判断し、認証する（以下、認証成功）。また、照合部１２が人物Ｘの特徴情報と登録者Ａの登録者特徴情報、登録者Ｃの登録者特徴情報、登録者Ｃの登録者特徴情報との類似度がいずれも基準値より低いと判断したとする。照合部１２は、人物Ｘをいずれの登録者ではない判断し、認証しない（以下、認証失敗）。
【００２５】
制御部７１は、タイマー７４を起動し、動画照合装置１、動画照合装置２、静止画照合装置３、静止画照合装置４のいずれかで定期的（例えば１時間以内）に登録者が認証されるか否かを監視する。所定時間内に登録者が認証されないと、制御部７１は監視対象者（登録者）に異常が発生したと判断する。通信部７３は、介護担当者５に監視対象者に異常が発生した旨を通報する。
【００２６】
制御部７１は、認証成功の場合、撮影部の識別情報（複数の撮影部のうちのどの撮影部で撮影された情報が利用されたかを特定する情報）、認証された登録者名、及び認証成功時間情報等を記憶部７２に照合結果リストとして一時的に記憶させる。上記さらに詳述すると、少なくとも二つの異なる撮影部により取得された少なくとも二つの生体情報に基づき同一人物(登録者)が定期的に認証されることを正常判断の条件とし、制御部７１がこの条件を満たしていないと判断した場合に、通信部７３は異常発生を通知する。
【００２７】
また、制御部７１により、時間帯に応じて正常判定のための認証時間間隔を可変制御するようにしてもよい。例えば、日中については１時間ごとに同一人物が認証されることを正常判定の条件とし、夜間等の登録者の就寝時間帯については６時間毎に同一人物が認証されることを正常判定の条件とするようにしてもよい。
【００２８】
また、撮影部１１、撮影部２１、撮影部３１、又は撮影部４１が人物Ｙを撮影し、照合部１２、照合部２２、照合部３２、又は照合部４２が人物Ｙの特徴情報と登録者特徴情報とを比較照合し、登録者の認証に失敗したとする。制御部７１は、認証失敗となった人物Ｙの特徴情報を記憶部７２に記録する。
【００２９】
そして、撮影部１１、撮影部２１、撮影部３１、又は撮影部４１が人物Ｚを撮影し、照合部１２、照合部２２、照合部３２、又は照合部４２が人物Ｚの特徴情報と登録者特徴情報とを比較照合し、登録者の認証に失敗したとする。制御部７１は、認証失敗となった人物Ｚの特徴情報を記憶部７２に記録する。
【００３０】
照合部１２は、人物Ｚの特徴情報と人物Ｙの特徴情報とを比較して、人物Ｙと人物Ｚの同一性を判定する。制御部７１は、同一性判定に基づき同一人物による複数回の認証失敗と判断する。つまり、制御部７１は、人物Ｙ（＝人物Ｚ）を不法侵入者と判断する。そして、通信部７３は、警察や警備会社等６に不法侵入者がいる旨を通報する。つまり、一度の認証失敗で不法侵入と判断しない。これにより、高精度な不法侵入判断が可能となり、誤認証（正規登録者の認証エラー）による不法侵入判断の頻発を防止できる。
【００３１】
また、認証成功時には、記憶部７２は、順次、撮影情報から抽出された特徴情報を登録者特徴情報としてサンプルに加えて記録することも可能である。これにより、登録者特徴情報のバリエーション（正面の顔の撮像情報から抽出された特徴情報、やや斜め横方向の顔の撮像情報から抽出された特徴情報など）を増やすことができ、結果的に認証精度を高めることができる。
【００３２】
次に、監視対象である住人の人物検知および異常発生時の通知手順を図３に示すフローチャートを用いて説明する。
【００３３】
制御部７１は、照合間隔時間を計測するためのタイマー７４を初期化する（Ｓ１０１）。
【００３４】
制御部７１は、タイマー７４を監視しており、タイマー７４のスタートから一定時間（例えば１時間）経過しているか否かを判断する（Ｓ１０２）。制御部７１が、一定時間経過前に（Ｓ１０２、ＮＯ）、登録者が認証されたことを検出し（Ｓ１０３、ＹＥＳ）、この登録者の認証を示す最新の認証成功履歴に含まれる撮影位置情報と、前回の認証成功履歴に含まれる撮影位置情報とを比較し、異なる撮影位置（異なる撮影部）で撮影された異なる撮影情報に基づき同じ登録者が一定時間内に２度認証されていることの確認が取れた場合（Ｓ１０４、ＹＥＳ）、再度、照合間隔時間を計測するためのタイマー７４を初期化する（Ｓ１０１）。
【００３５】
しかしながら、制御部７１が、登録者の認証を検出することなく（Ｓ１０３、ＮＯ）、一定時間が経過してしまうと（Ｓ１０２、ＹＥＳ）、通信部７３を介して介護担当者などに対して監視対象（登録者）に異常が発生したことを通知する（Ｓ１０５）。また、制御部７１が、登録者の認証を検出したものの（Ｓ１０３、ＹＥＳ）、同じ撮影位置（同じ撮影部）で撮影された撮影情報に基づき同じ登録者が一定時間内に２度認証されている場合には（Ｓ１０４、ＮＯ）、通信部７３を介して介護担当者などに対して監視対象（登録者）に異常が発生したことを通知する（Ｓ１０５）。つまり、監視対象がアクシデント等により一定箇所から動けない場合も、制御部７１は正常とは判断しない。そのため、監視対象者が動けない事態でもその異常を見逃すことなく、異常を通知することができる。
【００３６】
また、所定のタイミングで、制御部７１は、図示しない照合ＮＧカウンタを初期化する（Ｓ２０１）。次に、動画照合装置１（動画照合装置２、静止画照合装置３、静止画照合装置４）の撮影部１１（撮影部２１、撮影部３１、撮影部４１）が撮影範囲の人物を撮影する（Ｓ２０２）。
【００３７】
照合部１２（照合部２２、照合部３２、又は照合部４２）が、撮影部１１（撮影部２１、撮影部３１、又は撮影部４１）で撮影された撮影情報から抽出した人物Ｙの特徴情報と記憶部７２に記憶されている登録者特徴情報を比較照合する（Ｓ２０３）。そして、照合部１２は、登録者の認証可否を判断する（Ｓ２０４）。照合部１２が、認証失敗と判断したとき（Ｓ２０４、ＮＯ）、制御部７１は、認証失敗となった人物Ｙの特徴情報を記憶部７２に記録し、照合ＮＧカウンタによりＮＧがカウントアップされる。
【００３８】
さらに、照合部１２（照合部２２、照合部３２、又は照合部４２）が、撮影部１１（撮影部２１、撮影部３１、又は撮影部４１）で撮影された撮影情報から抽出した人物Ｚの特徴情報と記憶部７２に記憶されている登録者特徴情報を比較照合する（Ｓ２０３）。そして、照合部１２は、登録者の認証可否を判断する（Ｓ２０４）。照合部１２が、認証失敗と判断したとき（Ｓ２０４、ＮＯ）、制御部７１は、認証失敗となった人物Ｚの特徴情報を記憶部７２に記録し、照合ＮＧカウンタによりＮＧがカウントアップされる。
【００３９】
照合ＮＧカウンタによりＮＧが複数回カウントアップされていることにより、照合部１２は、人物Ｚの特徴情報と人物Ｙの特徴情報とを比較して、人物Ｙと人物Ｚの同一性を判定する。制御部７１は、同一性判定に基づき同一人物による複数回の認証失敗と判断する。つまり、制御部７１は、人物Ｙ（＝人物Ｚ）を不法侵入者と判断する。そして、通信部７３は、警察や警備会社等６に不法侵入者がいる旨を通報する（Ｓ２０７）。
【００４０】
照合部１２が、認証成功と判断したとき（Ｓ２０４、ＹＥＳ）、制御部７１は、照合部１２で認証成功した登録者特徴情報が、仮登録者特徴情報（一時的な来客者から取得される特徴情報）に該当しないことを条件として、住居人が認証されたと判断し（Ｓ２０５、ＹＥＳ）、記憶部７２に認証成功履歴を保存する（Ｓ２０６）。認証成功履歴は、撮影位置情報（撮影部識別情報）、及び認証成功時間情報等を含む。制御部７１は、照合部１２で認証成功した登録者特徴情報が、仮登録者特徴情報（一時的な来客者から取得される特徴情報）に該当することを条件として、一時的な来客者が認証されたと判断し（Ｓ２０５、ＮＯ）、記憶部７２に認証成功履歴を保存しない。
【００４１】
次に、訪問者が訪ねてきた場合の処理を図４に示すフローチャート図を用いて説明する。
【００４２】
訪問者が人物監視システムが設置された住居に来たとする（Ｓ３０１）。動画照合装置１の撮影部１１が訪問者を撮影すると、照合部１２は、訪問者を撮影した撮影情報（特徴情報）と記憶部７２に記録されている登録者特徴情報とを照合する（Ｓ３０２）。
【００４３】
照合部１２は、訪問者を撮影した撮影情報と記憶部７２に記録されている登録者特徴情報とを照合し、照合成功と判断すると（Ｓ３０２、ＹＥＳ）、制御部７１は玄関のドアを開錠するため（Ｓ３１２）、訪問者は住居に入ることができる。制御部７１は、訪問者が住居に入った後に玄関のドアを閉じると、施錠するため、外部から侵入できなくなる。
【００４４】
照合部１２は、訪問者を撮影した撮影情報と記憶部７２に記録されている登録者特徴情報とを照合し、照合成功でないと判断すると（Ｓ３０２、ＮＯ）、制御部７１は、訪問者が図示しない登録ボタンを選択したか否かを判断する（Ｓ３０３）。登録ボタンは、玄関の任意の箇所に設置されており、照合失敗となった登録情報に登録されていない訪問者が住居内に入りたい時に、住人の許可があれば、入れるようにするためのものである。
【００４５】
訪問者が図示しない登録ボタンを選択しないと（Ｓ３０３、ＮＯ）、制御部７１は玄関のドアを開錠しない（Ｓ３１０）。訪問者が図示しない登録ボタンを選択すると（Ｓ３０３、ＹＥＳ）、制御部７１は、登録ボタンが選択された旨を住人に音声等で知らせる。
【００４６】
訪問者が登録ボタンを選択できる時間は、タイマー７４が一定時間経過する間と設定することができる。一定時間は、照合部２１が照合失敗と判定した時に、制御部７１が訪問者に対して登録ボタンを選択する旨を通知し、同時にタイマー７４を起動させることで計れる。
【００４７】
住人が不在ならば（Ｓ３０４、ＮＯ）、制御部７１は玄関のドアを開錠しない（Ｓ３１０）。住人が在宅か否かは、制御部７１が、登録ボタンの選択を音声等で知らせるのと同時にタイマー７４を起動させ、タイマー７４が一定時間経過する間に住人が管理部７の図示しないタッチパネル等で何らかの操作をしなければ不在と判断することによる。
【００４８】
住人が在宅ならば（Ｓ３０４、ＹＥＳ）、制御部７１は、照合部２１で照合失敗となった訪問者の撮影情報を、照合成功となるように仮登録者特徴情報として記憶部７２に登録するか否かをタッチパネル等による住人の操作により制御する（Ｓ３０５）。
【００４９】
制御部７１が、訪問者の撮影情報を仮登録者特徴情報として記憶部７２に登録しない場合（Ｓ３０５、ＮＯ）、制御部７１は玄関のドアを開錠しない（Ｓ３１０）。制御部７１が、訪問者の撮影情報を仮登録者特徴情報として記憶部７２に登録する場合（Ｓ３０５、ＹＥＳ）、動画照合装置１は、撮影部１１にて訪問者の撮影情報を撮影し、撮影した撮影情報を仮登録者特徴情報として処理する（Ｓ３０６）。
【００５０】
また、例えば、住人が訪問者の撮影情報を、仮登録者特徴情報として記憶部７２に登録するようにタッチパネル等を操作すると同時に制御部７１は、タイマー７４を起動させることができる。タイマー７４が一定時間経過する間は、住人がタッチパネル等の登録キャンセルボタンを選択すると、仮登録者特徴情報の登録をキャンセルできる（Ｓ３０７）。
【００５１】
住人が登録キャンセルボタンを一定時間内に押すと（Ｓ３０７、ＹＥＳ）、制御部７１は、動画照合装置１で登録情報として処理した訪問者の撮影情報を消去し、制御部７１は玄関のドアを開錠しない（Ｓ３１０）。住人が登録キャンセルボタンを一定時間内に押さないと（Ｓ３０７、ＮＯ）、制御部７１は、動画照合装置１から訪問者の撮影情報を取得し、仮登録者特徴情報として記憶部７２に登録する（Ｓ３０８）。
【００５２】
記憶部７２に仮登録者特徴情報の登録が成功すれば（Ｓ３０９、ＹＥＳ）、照合部１２は、新たな仮登録者特徴情報を照合対象として使用できる（Ｓ３１１）。そして、制御部７１は玄関のドアを開錠するため（Ｓ３１２）、訪問者は住居に入ることができる。
【００５３】
上記のように、動画照合装置１が撮影した人物を照合し、住居内に入ることを許可できる人か否かを判断し、それに基づき、管理装置７がドアを開錠するか否かを制御するので、体の不自由な住人にとって利便性の良いものである。
【００５４】
上記のように、登録者特徴情報と仮登録者特徴情報とを区別し、仮登録者特徴情報は図３に示す定期監視の対象から外す。来客から取得される特徴情報（仮登録者特徴情報）を定期監視対象に加えてしまうと、来客帰宅後に定期監視エラーとなってしまい、異常発生が通知されてしまう。このように、仮登録者特徴情報を定期監視の対象から外すことで、来客者を不法侵入者と間違うことなく、また定期監視エラーを発生させることもない。
【００５５】
住人以外に介護担当者、家族等がすでに住居内にいるときは、これらの介護担当者、家族等から得られる特徴情報も仮登録者特徴情報として登録する。これにより、これらの介護担当者、家族等についても、不法侵入者と間違われることなく、また定期監視エラーを発生させることもない。
【００５６】
なお、この発明は、上記実施形態そのままに限定されるものではなく、実施段階ではその要旨を逸脱しない範囲で構成要素を変形して具体化できる。また、上記実施形態に開示されている複数の構成要素の適宜な組み合せにより種々の発明を形成できる。例えば、実施形態に示される全構成要素から幾つかの構成要素を削除してもよい。更に、異なる実施形態に亘る構成要素を適宜組み合せてもよい。
【図面の簡単な説明】
【００５７】
【図１】この発明の実施形態に係る人物監視システムの配置例を示す図。
【図２】この発明の実施形態に係る人物監視システムの構成例を示す図。
【図３】この発明の実施形態に係る人物監視システムにおける照合処理（定期監視）を説明するフローチャート。
【図４】この発明の実施形態に係る人物監視システムにおける仮登録を説明するフローチャート。
【符号の説明】
【００５８】
１…動画照合装置、２…動画照合装置、３…静止画照合装置、４…静止画照合装置、５…介護担当者、６…警察、警備会社、７…管理装置、１１…撮影部、１２…照合部、２１…撮影部、２２…照合部、３１…撮影部、３２…照合部、４１…撮影部、４２…照合部、７１…制御部、７２…記憶部、７３…通信部、７４…タイマー。
【図１】
2008072511.tif 000003
【図２】
2008072511.tif 000004
【図３】
2008072511.tif 000005
【図４】
2008072511.tif 000006